(57)【要約】      （修正有）【課題】パーキングメーターにおいて、利用者が制限時間の経過の通知を受理することにより、制限時間を超えて駐車違反を犯してしまうことが防止できる。また、パーキングメーターの利用状況を逐一、一ヶ所で管理することにより、巡回中の監視員に制限時間が超過しているパーキングメーターを知らせ、該パーキングメーターに派遣することができる。以上の機能を備えた多機能なパーキングメーターを提供する。【解決手段】情報センターを備え、パーキングメーターと情報センターをインターネット等の通信ネットワークにより相互に通信可能とし、該情報センターにおいてパーキングメーターの利用状況を逐一一括管理することにより、情報センターから、制限時間が迫ったパーキングメーター利用者のあらかじめ登録された連絡先に通知をする。また、制限時間を過ぎたパーキングメーターに監視員を派遣して取り締まりを行う。【選択図】図１
2011060206.tif 000002
【特許請求の範囲】
【請求項１】
少なくとも以下の（１）から（９）の要件；
（１）タッチパネル式ディスプレイ、
（２）スピーカー、
（３）映像および音声が受信可能なインターネット無線および有線受信機、
（４）インターネット無線および有線受信機により受信した映像をタッチパネル式ディスプレイに表示可能とし、音声をスピーカーから発生可能とする装置、
（５）電子マネー決済装置、
（６）現金投入口、
（７）赤外線受信機、
（８）カメラ、
（９）無線送受信機
を有することを特徴とし、電力供給源として以下の（１）から（２）の少なくともいずれかの装置；
（１）外部電源、
（２）太陽光発電パネルおよびバッテリー、
を有することを特徴とする多機能パーキングメーター。
【請求項２】
情報センターから広告映像および音声を映像および音声が受信可能なインターネット無線および有線受信機により受信し、インターネット無線および有線受信機により受信した映像をディスプレイに表示可能とし音声をスピーカーから発生可能とする装置により、タッチパネル式ディスプレイおよびスピーカーに広告映像および音声を再現し、広告宣伝活動を行うことを特徴とする請求項１に記載の多機能パーキングメーター。
【請求項３】
請求項１に記載のカメラを１台以上有し、該カメラはインターネット通信により適宜情報センターに映像が送信でき、駐車した車両のナンバープレート情報を読み取り、情報センターに該ナンバープレート情報を送信することができることを特徴とする請求項１から２いずれかに記載の多機能パーキングメーター。
【請求項４】
電子マネー（電子マネー機能付携帯電話機も含む）か現金のいずれかにより決済可能であることを特徴とする請求項１から３いずれかに記載の多機能パーキングメーター。
【請求項５】
利用者が自らの連絡先電話番号またはＥ−ｍａｉｌアドレスを請求項１に記載のタッチパネル式ディスプレイまたは携帯電話機の赤外線通信により入力すると、該電話番号またはＥ−ｍａｉｌアドレスを情報センターに登録することができ、情報センターから電話着信またはＥ−ｍａｉｌ受信により駐車制限時間の通知を受けることができることを特徴とする請求項１から４いずれかに記載の多機能パーキングメーター。
【請求項６】
請求項１に記載の無線送受信機がＰＨＳや携帯電話機用無線の受信機であり、ＰＨＳや携帯電話の無線基地局としての機能を有することを特徴とする請求項１から５いずれかに記載の多機能パーキングメーター。
【請求項７】
車両の駐車時間が制限時間を超えた際に、情報センターに制限時間が経過した旨をインターネット等のネットワーク通信を介して送信することにより、通知することが可能な請求項１から６いずれかに記載の多機能パーキングメーター。
【請求項８】
制限時間を超えて車両を駐車し違反駐車となった際に、請求項１に記載のタッチパネル式ディスプレイに該違反車両のナンバーおよび駐車違反の旨が表示され、管轄の警察署に通報することを特徴とする請求項１から７いずれかに記載の多機能パーキングメーター。
【請求項９】
制限時間を超えて車両を駐車し違反駐車となった際に、違反者が請求項１に記載の現金または電子マネーにより違反金を支払うことが可能であり、支払い後は請求項１に記載のタッチパネル式ディスプレイに支払完了の旨を表示することが可能であることを特徴とする請求項１から８いずれかに記載の多機能パーキングメーター。
【発明の詳細な説明】
【技術分野】
【０００１】
本発明はパーキングメーターに関する。さらに詳しくは、利用者に対する制限時間通知機能や広告宣伝機能等を有する多機能なパーキングメーターに関する。
【背景技術】
【０００２】
パーキングメーターは路上において、時間を限って同一車両が引き続き駐車することができる道路の区間であることが道路標識等により指定されている道路の区間（以下「時間制限駐車区間」という）について、当該時間制限駐車区間における駐車の適正を確保する目的で設置されている。すなわち、利用者がパーキングメーターの設置された時間制限駐車区間に車両を駐車した際には、一定の料金をパーキングメーターに支払うことにより、定められた時間、例えば６０分の間、合法的に路上に車両を駐車することができる。その際、パーキングメーターは車両が駐車され、料金が投入されるとタイマーが開始され、定められた時間の経過を測定する。定められた時間が経過した後にも車両が引き続き利用者が車両を駐車している場合は、その車両は違法駐車となり、反則の対象となる。巡回中のパーキングメーター監視員が前述の違法駐車を発見すると取り締まりの対象となり、利用者には減点や罰金が科せられる。以上が従来のパーキングメーターの運用であり、パーキングメーターそのものは、時間測定および現金回収機能程度しか有していない。現状では、管理者側としては、違反の取り締まり方法として、監視員が巡回する方法を採用しているため、違法駐車車両を見逃してしまうことや巡回したにも関わらず違法駐車車両を発見できずにその巡回が無駄になってしまうという問題がある。また、利用者が定められた時間が経過したことを失念してしまい、悪意なく違法駐車をしてしまうことが問題となっている。他にも、料金の支払いに際しては硬貨のみしか利用できない等の問題がある。
【発明の概要】
【発明が解決しようとする課題】
【０００３】
以上の事実を鑑みて、本発明者らはパーキングメーターにおいて、利用者が失念により制限時間を超えて駐車をし、駐車違反を犯してしまうことは利用者に制限時間の通知が可能な装置により防止できると考えた。また、監視員の巡回の効率を向上するには、パーキングメーターの利用状況を逐一、一ヶ所で管理することにより、巡回中の監視員に制限時間が超過しているパーキングメーターを知らせ、該パーキングメーターに派遣することにより、無駄な巡回が減り、巡回効率が向上するとともに、取り逃しを防止することができると考えた。そこで、以上の機能を備えた多機能なパーキングメーターを提供することを課題とする。
【課題を解決するための手段】
【０００４】
鋭意研究の結果、本発明者らは、情報センターを備え、パーキングメーターと情報センターをインターネット等の通信ネットワークにより相互に通信可能とし、該情報センターにおいて複数のパーキングメーターの利用状況を逐一一括管理することにより、上記の課題を解決できることを見いだした。情報センターにより、各パーキングメーターの利用状況を一括でリアルタイムに把握していれば、制限時間が迫ったパーキングメーター利用者のあらかじめ登録された連絡先に通知をすることや、制限時間を過ぎたパーキングメーターに監視員を派遣して、取り締まりを行うことが可能となる。
【発明の効果】
【０００５】
以下に具体的に本発明の効果を挙げる。
＜１＞  利用者は、駐車制限時間の通知を受けることができるので、過失により駐車制限時間を超えて駐車してしまい、駐車違反金を支払うことを防ぐことができる。
＜２＞  管理者は、情報センターにてパーキングメーターの利用状況を随時把握することができ、制限時間を超えて駐車している車両の所有者に対しては情報センターより遠隔で交通違反切符を交付することができるので、従来のパーキングメーターの運営のように、取り締まりのために監視員が１台１台パーキングメーターを巡回する必要がなくなる。よって人件費やその他経費の大幅に削減が可能になる。
＜３＞  管理者は、多機能パーキングメーターの広告宣伝機能により、企業等の広告宣伝活動を代理することができるため、広告手数料を得ることができる。
【図面の簡単な説明】
【０００６】
【図１】本発明の一実施例におけるパーキングメーターの構成を示した図である。
【図２】本発明の一実施例における全体構成図である。
【図３】本発明の一実施例における利用時のタッチパネル式ディスプレイ表示画面の遷移図である。
【図４】本発明の一実施例における入庫の際の利用手順を示すフローチャートである。
【図５】本発明の一実施例における出庫の際の利用手順を示すフローチャートである。
【発明を実施するための形態】
【０００７】
以下に本発明の実施の形態について図を用いて説明する。なお、本発明の多機能パーキングメーターは下記実施形態に限定されるものではなく、本発明の趣旨を逸脱しない範囲において当業者が行いうる変更、改良を施した種々の形態について実施することができる。
【０００８】
図１は一実施例における多機能パーキングメーター１の構成を示したものであり、少なくとも以下の（１）から（９）の要件；（１）タッチパネル式ディスプレイ２、（２）スピーカー３、（３）映像および音声が受信可能なインターネット無線および有線受信機４、（４）インターネット無線および有線受信機により受信した映像をタッチパネル式ディスプレイに表示可能とし、音声をスピーカーから発生可能とする装置（図示していない）、（５）電子マネー決済装置５、（６）現金投入口６、（７）赤外線受信機７、（８）カメラ８、（９）無線送受信機９、を有する。また、電力供給源として（１）から（２）の少なくともいずれかの装置；（１）外部電源、（２）太陽光発電パネル１０およびバッテリー、を有する。尚、カメラ８は２機有し、左右からの車両進入に対してナンバープレート情報を撮影できるように、側面に１機ずつ敷設されることが望ましい。
【０００９】
図２は一実施例における全体構成図を示しており、多機能パーキングメーター１はインターネット通信を用いて情報センター１１はインターネット等の通信ネットワーク１２により相互に通信できる。また、情報センター１１は複数の多機能パーキングメーター１の情報を処理できる。
【００１０】
図３はタッチパネル式ディスプレイ２の遷移図である。タッチパネル式ディスプレイ２は利用者がいない待機時には、遷移図の２ａに示すように情報センター１１より配信された広告宣伝映像を、映像および音声が受信可能なインターネット無線および有線受信機４により受信し、インターネット無線および有線受信機により受信した映像をタッチパネル式ディスプレイに表示可能とし、音声をスピーカーから発生可能とする装置（図示していない）により、タッチパネル式ディスプレイ２およびスピーカー３に広告宣伝映像を再生し、に広告宣伝活動を行う。
【００１１】
図４は利用者が駐車をする際の操作手順を示したフローチャートであり、以下、図４フローチャートと図３の画面遷移図により実施例をさらに詳しく説明する。まず、利用者が多機能パーキングメーター１の駐車スペースに車両を駐車する（Ｓ１）。すると、カメラ８が駐車車両のナンバープレート情報を読み取り、情報センター１１に当該ナンバープレート情報が駐車車両情報として送信される（Ｓ２）。尚、該車両情報は画像形式またはテキスト形式にて送信される。そこで、情報センターからの遠隔操作により、タッチパネル式ディスプレイ２が、待機時画面２ａから操作画面２ｂに切り替わる（Ｓ４）。もし、前記のように遠隔操作により待機画面２ａが操作画面２ｂに切り替わらない際は利用者がタッチパネル式ディスプレイ２に触れることで画面が切り替わり、同様に処理を開始することができる。
【００１２】
次に利用者の支払い処理および連絡先情報登録処理に関して説明する。操作画面２ｂには利用料金が表示され、利用者は操作画面２ｂの指示に従って支払い処理を進めることができ、支払方法は現金または電子マネー（携帯電話に付与された電子マネー機能も含む）により決済することができる（Ｓ４）。支払が完了すると２ｃの操作画面が表示され、連絡先を登録するかどうか選択することができる（Ｓ５）。利用者が連絡先の情報登録を希望しない場合には２ｅの画面が表示され、操作が完了する（Ｓ８）。利用者が連絡先の情報登録を希望する場合は２ｄの画面が表示され、連絡先の電話番号およびＥ−ｍａｉｌアドレスをタッチパネルにより入力、または携帯電話機に付与された赤外線通信機能により赤外線受信機７に送信し連絡先登録を行う（Ｓ７）。該連絡先情報は情報センターに送信され、登録が完了する（Ｓ８）。かかる操作により連絡先を登録すると、利用者は駐車可能時間が近づいた際に、例えば駐車制限時刻の５分前等に情報センターからの電話着信またはＥ−ｍａｉｌの受信により駐車制限時刻が近づいた旨の通知を受けることができる。
【００１３】
図５は利用者が駐車を終えて出庫する際の操作手順を示したフローチャートであり、以下に操作手順に関して詳しく説明する。利用者が駐車場所に戻り（Ｓ９）、制限時間を超過していない場合（Ｓ１０）は、操作の必要がなく出庫することが可能である。利用者が制限時間を超えて駐車をして、駐車違反を犯した場合には、駐車した際に登録された車両情報、すなわちナンバー情報およびが違反の旨がタッチパネル式ディスプレイ２に表示される（Ｓ１１）。罰金および原点の内容を示す交通反則切符が表示される（Ｓ１２）。利用者（違反者）は、現金または電子マネーによって罰金の支払いを行う（Ｓ１３）。罰金の支払いが完了すると操作は終了する。罰金の支払いが行われない場合は管轄の警察署に通報される（Ｓ１４）。
【００１４】
一方、本発明は管理者にとっても多大な効果をもたらす。上述のように多機能パーキングメーター１は情報センター１１とネットワーク通信１２により通信可能な状態にあり、駐車状況は情報センター１１に送信されている。駐車制限時間を超過するとその旨が情報センターに送信される。この情報を巡回監視員と共有することにより、巡回の効率を向上することができる。また、情報センター１１では管轄の多機能パーキングメーター１の使用状況情報をリアルタイムに得ていることから、該使用状況情報をカーナビゲーションシステムに送信することで、利用者のカーナビゲーションに付近の多機能パーキングメーターの使用状況、すなわち空き状況を通知することも可能である。
【符号の説明】
【００１５】
１  多機能パーキングメーター
２  タッチパネル式ディスプレイ
２ａ        待機画面
２ｂ〜２ｅ  操作画面
３  スピーカー
４  映像および音声が受信可能なインターネット無線および有線受信機
５  電子マネー決済装置
６  現金投入口
７  赤外線受信機
８  カメラ
９  無線送受信機
１０  太陽光パネル
１１  情報センター
１２  通信ネットワーク
【図１】
2011060206.tif 000003
【図２】
2011060206.tif 000004
【図３】
2011060206.tif 000005
【図４】
2011060206.tif 000006
【図５】
2011060206.tif 000007